(57)【要約】【課題】  電子原稿作成ソフトやフォームに依存することなく、印刷データのうち符号化したい情報を抽出することが可能な印刷装置、印刷データ符号化方法およびプログラムを提供する。【解決手段】  ＰＣ１Ａを操作して文書作成アプリケーションソフトウェアで印刷データを作成し、印刷データに含まれる符号化対象を赤色に編集し、印刷データを白黒プリンタ２に送信すると、白黒プリンタ２は、色属性抽出部２８で符号化属性情報に基づいて印刷データから符号化対象を抽出し、その抽出情報を符号化部２４で機械可読符号に符号化し、この符号化により得られた二次元コードをラスターイメージ生成部２２によって生成したデータと合成する処理を合成部２５で実施し、合成部２５による印刷データに基づいて画像出力部２６が印刷を実行する。【選択図】      図１
2006256016.tif 000002
【特許請求の範囲】
【請求項１】
上位装置から送信された印刷データを前記上位装置により指定された印刷条件に従って印刷する印刷装置において、
符号化対象の属性情報として設定された符号化属性情報を記憶する記憶部と、
前記符号化属性情報に基づいて前記印刷データから前記符号化対象を抽出する抽出部と、
前記抽出部により抽出された前記符号化対象を機械可読符号に符号化する符号化部と、
前記機械可読符号と前記印刷データとを合成する合成部と、
前記合成部の合成によって得られた合成データを用紙に印刷する印刷部とを備えたことを特徴とする印刷装置。
【請求項２】
前記記憶部は、前記符号化属性情報として色属性情報を記憶することを特徴とする請求項１に記載の印刷装置。
【請求項３】
前記色属性情報は、赤色であることを特徴とする請求項２に記載の印刷装置。
【請求項４】
前記色属性情報は、指定された色以外の色であることを特徴とする請求項２に記載の印刷装置。
【請求項５】
前記印刷データからラスターイメージを生成するラスターイメージ生成部を備え、
前記ラスターイメージ生成部は、前記印刷データ上の前記符号化対象の前記色属性情報を前記符号化対象以外の印刷データが有する色属性情報に変更することを特徴とする請求項２に記載の印刷装置。
【請求項６】
前記印刷部は、カラー印刷が可能な構成を有し、前記印刷条件が白黒印刷の場合でも前記符号化対象を前記色属性情報に対応した色で印刷することを特徴とする請求項２に記載の印刷装置。
【請求項７】
前記抽出部は、前記色属性情報に基づいて白黒用の前記印刷データから前記符号化対象を抽出することを特徴とする請求項２に記載の印刷装置。
【請求項８】
前記抽出部は、前記色属性情報に基づいてカラー用の前記印刷データから前記符号化対象を抽出することを特徴とする請求項２に記載の印刷装置。
【請求項９】
前記記憶部は、前記符号化属性情報として文字種別を記憶することを特徴とする請求項１に記載の印刷装置。
【請求項１０】
前記記憶部は、前記符号化属性情報として文字の大きさを記憶することを特徴とする請求項１に記載の印刷装置。
【請求項１１】
前記合成部は、前記印刷データの予め指定された位置に前記機械可読符号を合成することを特徴とする請求項１に記載の印刷装置。
【請求項１２】
前記合成部は、前記合成を前記上位装置から指示がある場合に実行することを特徴とする請求項１に記載の印刷装置。
【請求項１３】
前記合成部は、前記機械可読符号が一定の大きさで前記用紙に印刷されるように前記印刷データと合成することを特徴とする請求項１に記載の印刷装置。
【請求項１４】
前記上位装置から送信される前記印刷データは、白黒プリンタ用の印刷データに前記色属性情報が付加されたものであり、
前記印刷部は、前記合成データを前記用紙に白黒印刷することを特徴とする請求項２に記載の印刷装置。
【請求項１５】
符号化対象の属性情報として設定された符号化属性情報に基づいて印刷データから前記符号化対象を抽出し、
抽出された前記符号化対象を機械可読符号に符号化することを特徴とする印刷データ符号化方法。
【請求項１６】
前記符号化対象の抽出は、上位装置から前記印刷データとともに送信された前記符号化属性情報を用いて行うことを特徴とする請求項１５に記載の印刷データ符号化方法。
【請求項１７】
前記符号化対象の抽出は、前記符号化属性情報として色属性情報を用いて行うことを特徴とする請求項１５に記載の印刷データ符号化方法。
【請求項１８】
請求項１５乃至１７のいずれか１項に記載の印刷データ符号化方法をコンピュータに実行させるためのプログラム。
【発明の詳細な説明】
【技術分野】
【０００１】
本発明は、パーソナルコンピュータ（Personal Computer：ＰＣ）等の上位装置から送信された印刷データを上位装置により指定された印刷条件に従って印刷する印刷装置、印刷データ符号化方法およびプログラムに関し、特に、電子原稿作成ソフトやフォームに依存することなく、印刷データのうち符号化したい情報を抽出することが可能な印刷装置、印刷データ符号化方法およびプログラムに関する。
【背景技術】
【０００２】
例えば、コピー機に代表される画像処理装置おいては、ＰＣ、ＣＡＤ（Computer Aided Design）等の情報処理装置（上位装置）を接続してシステム化し、情報処理装置側からコピー操作を
行えるものがある。
【０００３】
また、コピー機は多機能化しており、例えば、文書や図面等に、その属性情報等をバーコード等の機械可読符号として付加し、この機械可読符号を利用することで文書や図面等の整理や検索等が行えるようにしたものがある。
【０００４】
例えば、フォームのフィールドの順序、配置、名前及び数が変更されても自動的に処理されることが可能な、新たな文書フォームを自由に生成するための手段を有し、完成したフオーム上でデータを収集及び使用するデータプロセッサの再プログラミングを必要とせずに、ユーザが、文書フォームのフォーマットを自由に定義又は再定義することを可能にしたものが知られている（例えば、特許文献１参照。）。
【０００５】
また、ＰＣ等の情報入力端末から電子原稿（電子フォーム）に入力された情報を符号化し、電子原稿と合成することも行われている。例えば、ＰＣで作成した印刷データをプリンタに転送し、プリンタで印刷データにバーコード、ＱＲ（Quick Response）コード（株式会社デンソーウェーブ登録商標）等による二次元コードを合成して印刷することにより、印刷した紙を二次元コード毎に分類したり検索することができる。
【特許文献１】特開平０６−０９６２７６号公報
【発明の開示】
【発明が解決しようとする課題】
【０００６】
しかし、従来の画像処理装置によれば、処理対象の情報が格納されているフィールド位置は予め特定されている必要があり、符号化したい文字列を自由に設定することができない。また、電子原稿に入力された情報を符号化して電子原稿と合成する方法は、予めフォームのどの位置にどのような情報が埋め込まれているかを指定しておく必要があり、汎用性に欠ける。
【０００７】
従って、本発明の目的は、電子原稿作成ソフトやフォームに依存することなく、印刷データのうち符号化したい情報を抽出することが可能な印刷装置、印刷データ符号化方法およびプログラムを提供することにある。
【課題を解決するための手段】
【０００８】
本発明は、上記目的を達成するため、上位装置から送信された印刷データを前記上位装置により指定された印刷条件に従って印刷する印刷装置において、符号化対象の属性情報として設定された符号化属性情報を記憶する記憶部と、前記符号化属性情報に基づいて前記印刷データから前記符号化対象を抽出する抽出部と、前記抽出部により抽出された前記符号化対象を機械可読符号に符号化する符号化部と、前記機械可読符号と前記印刷データとを合成する合成部と、前記合成部の合成によって得られた合成データを用紙に印刷する印刷部とを備えたことを特徴とする印刷装置を提供する。
【０００９】
上記印刷装置によれば、符号化対象の属性情報を符号化属性情報として設定するだけで、その符号化属性情報を有する符号化対象を印刷データから抽出することができる。
【００１０】
「印刷データ」は、主として文書データであり、写真等を含んでいてもよい。「符号化対象」は、文字列であり、１つの印刷データの中に複数の符号化対象が存在してもよい。「符号化属性情報」は、例えば、文字の属性情報であり、１つの符号化対象に複数の符号化属性情報を設定してもよい。この場合は、複数の符号化属性情報を有する符号化対象のみが符号化される。「機械可読符号」とは、バーコード、二次元コード等のバーコードリーダ、ＣＣＤカメラ、イメージスキャナ、カメラ付き携帯電話等の読取装置によって読み取り可能なものをいう。
【００１１】
記憶部は、符号化属性情報として色属性情報を記憶するのが好ましい。この構成によれば、符号化対象が色で識別できるので、符号化属性情報の設定が容易となる。
【００１２】
上記色属性情報は、赤色としてもよい。赤色は他の色よりも目立つ色であるため、符号化属性情報の認定がより容易となる。
【００１３】
上記色属性情報は、指定された色以外の色を用いてもよい。符号化対象の色属性情報の数が符号化対象以外の印刷データの色属性情報の数よりも多い場合、符号化属性情報の設定が容易となる。
【００１４】
印刷データからラスターイメージを生成するラスターイメージ生成部を備え、ラスターイメージ生成部は、印刷データ上の符号化対象の色属性情報を符号化対象以外の印刷データが有する色属性情報に変更してもよい。これによれば、符号化対象以外の印刷データが有する色属性情報が黒色の場合、符号化対象の色属性情報として、例えば、赤色を設定しても符号化対象が黒色で印刷されるため、白黒プリンタでも印刷が可能となる。
【００１５】
印刷部は、カラー印刷が可能な構成を有し、印刷条件が白黒印刷の場合でも符号化対象を色属性情報に対応した色で印刷するようにしてもよい。これにより、カラー印刷を指定しなくても符号化対象を色属性情報に対応した色で印刷することができる。
【００１６】
抽出部は、色属性情報に基づいて白黒用の印刷データから符号化対象を抽出する構成を有してもよい。これにより、白黒プリンタ、カラープリンタを意識せずに印刷データを印刷装置に送信することができる。
【００１７】
抽出部は、色属性情報に基づいてカラー用の印刷データから符号化対象を抽出する構成を有してもよい。この場合、上位装置は通常のものを使用し、印刷装置はカラープリンタを使用すれば、容易に実現することができる。
【００１８】
符号化属性情報は、色属性情報の他に、文字種別や文字の大きさを用いてもよい。文字種別や文字の大きさによっても符号化対象を抽出することができる。
【００１９】
合成部は、印刷データの予め指定された位置に機械可読符号を合成してもよい。これにより、符号化対象以外の文書等と機械可読符号とが重なるのを防止することができる。
【００２０】
合成部は、合成を上位装置から指示がある場合に実行するようにしてもよい。これにより、機械可読符号を印刷するか否かをユーザが決めることができる。
【００２１】
合成部は、機械可読符号が一定の大きさで用紙に印刷されるように印刷データと合成してもよい。一定の大きさで機械可読符号を用紙に印刷することで、用紙上の機械可読符号を読取装置により確実に読み取ることができる。
【００２２】
上位装置から送信される印刷データは、白黒プリンタ用の印刷データに色属性情報が付加されたものであり、印刷部は、合成データを用紙に白黒印刷するものでもよい。これによれば、白黒プリンタ用の印刷データに色属性情報を付加することで、符号化対象を簡易に指定することができる。
【００２３】
本発明は、上記目的を達成するため、符号化対象の属性情報として設定された符号化属性情報に基づいて印刷データから前記符号化対象を抽出し、抽出された前記符号化対象を機械可読符号に符号化することを特徴とする印刷データ符号化方法を提供する。
【００２４】
上記印刷データ符号化方法によれば、符号化対象の属性情報を符号化属性情報として設定するだけで、その符号化属性情報を有する符号化対象を印刷データから抽出することができる。
【００２５】
符号化対象の抽出は、上位装置から印刷データとともに送信された符号化属性情報を用いて行ってもよい。これにより、上位装置側で任意に符号化属性情報を決めることができる。
【００２６】
符号化対象の抽出は、符号化属性情報として色属性情報を用いて行ってもよい。符号化対象が色で識別できるので、符号化属性情報の設定が容易となる。
【００２７】
本発明は、上記目的を達成するため、上記印刷データ符号化方法をコンピュータに実行させるためのプログラムを提供する。
【００２８】
上記プログラムによれば、符号化対象の属性情報を符号化属性情報として設定するだけで、その符号化属性情報を有する符号化対象を印刷データから自動的に抽出することができる。
【発明の効果】
【００２９】
本発明によれば、電子原稿作成ソフトやフォームに依存することなく、印刷データのうち符号化したい情報を抽出することができる。
【発明を実施するための最良の形態】
【００３０】
［第１の実施の形態］
図１は、本発明の第１の実施の形態に係る画像処理システムを示す。この画像処理システム１００は、上位装置としてのパーソナルコンピュータ（ＰＣ）１と、印刷装置としての白黒プリンタ２と、ＰＣ１Ａと白黒プリンタ２を接続するＬＡＮ３とを備える。
【００３１】
ＰＣ１Ａは、ＬＡＮ３による通信機能を備えるほか、文書等を作成するための文書作成アプリケーションソフトウェア（電子原稿作成ソフトウェア）と、本発明に係るプリンタドライバを格納している。
【００３２】
白黒プリンタ２は、ＰＣ１Ａと通信を行う通信部２１と、ＰＣ１Ａからの印刷データに対してラスターイメージ（raster image）を生成するラスターイメージ生成部２２と、符号化対象の属性情報として設定された符号化属性情報、例えば、赤色属性情報を記憶する符号化属性情報記憶部２７と、符号化属性情報に基づいてＰＣ１Ａからの印刷データから符号化対象を抽出する色属性抽出部２８と、色属性抽出部２８が抽出した符号化対象を二次元コード等の機械可読符号に符号化する符号化部２４と、ラスターイメージ生成部２２の出力と符号化部２４の出力とを合成する合成部２５と、合成部２５で得られた合成データを用紙に白黒で印刷する印刷部としての画像出力部２６Ａと、この白黒プリンタ２の各部を制御する図示しない制御部とを備える。
【００３３】
ラスターイメージ生成部２２は、印刷データに符号化対象が含まれていてもその色属性情報を元々有している濃度の黒に変換してラスターイメージを生成するように構成されている。
【００３４】
画像出力部２６Ａは、電子写真方式、インクジェット方式、感熱転写方式等の各種の印刷方式を用いることができる。なお、画像出力部２６Ａは、液晶ディスプレイ、ＣＲＴディスプレイ、プラズマディスプレイ等のディスプレイであってもよい。
【００３５】
色属性抽出部２８は、ＰＣ１Ａからの印刷データのうち符号化属性情報記憶部２７に記憶されている符号化属性情報としての色属性情報、例えば、赤色属性情報を有する印刷データの部分を抽出する。通常、白黒のプリンタの場合、ＰＣから送られる印刷データの属性には、色情報は付加されていないが、この白黒プリンタ２では、ＰＣ１Ａが符号化出力を指示した場合、印刷データに色属性を付加して送り、プリンタ４側で白黒に読み替えて出力する。
【００３６】
図２は、印刷データの構成を示す。この印刷データ３０は、ＰＣ１Ａから白黒プリンタ２に伝送されるデータであり、フォント、サイズ等の情報を含むテキストデータ３１、ベクトル情報による線画データ３２、イメージデータによる写真データ３３、および赤文字テキスト３４を含むが、これらの全てを含むとは限らず、テキストのみの場合も、写真のみの場合もある。
【００３７】
赤文字テキスト３４は、例えば、文書ＩＤ番号等の符号化対象の属性情報として符号化属性情報を赤色にしたものである。
【００３８】
（第１の実施の形態の動作）
次に、第１の実施の形態に係る画像処理システム１００の動作を図１〜図６を参照して説明する。
【００３９】
図３は、ＰＣ１Ａで作成した電子原稿の一例を示し、図４は、ＰＣ１Ａ上における二次元コードを生成するか否かの設定画面を示し、図５は、二次元コードが印刷されたプリント紙面の一例を示し、図６は、画像処理システム１００の動作を示すフローチャートである。なお、図６中、Ｓはステップを表している。
【００４０】
まず、ユーザは、ＰＣ１Ａの文書作成アプリケーションソフトウェアを用いて電子原稿を作成する（Ｓ１０１）。
【００４１】
図３は、その電子原稿の画像を示す。この電子原稿４０は、符号化対象、すなわち赤文字テキスト３４となるコード作成部４１と、テキストによる一般の文書領域４２とを含んでいる。
【００４２】
この電子原稿４０に対し、ユーザは、コード作成部４１に相当するＩＤ番号（「ＡＢ１２５６」）を赤色に編集する（Ｓ１０２）。
【００４３】
次に、ユーザは、ＰＣ１Ａを操作し、上記のように編集した電子原稿４０を印刷するための指示を行うと（Ｓ１０３）、ＰＣ１Ａのプリンタドライバは、二次元コードを生成するか否かの設定画面をＰＣ１Ａのディスプレイに表示する。
【００４４】
図４は、その二次元コードを生成するか否かの設定画面を示す。この設定画面５０は、印刷に使用するプリンタを設定するプリンタ設定欄５１、二次元コード（ＱＲコード）を生成するか否かのチェック欄５２、印刷する部数を指定する部数設定欄５３等が表記される。
【００４５】
ここで、ユーザは、チェック欄５２にチェックを入れるとともに必要な設定を行って、二次元コードを生成するための指示をする（Ｓ１０４）。この指示を受けて、ＰＣ１Ａは、電子原稿４０内から赤で編集されている部分を検索し（Ｓ１０５）、赤文字部分、即ち、文書ＩＤ番号の部分を別のレイヤとして保存し（Ｓ１０６）、文書部分の黒レイヤと文書ＩＤ番号部分の色レイヤを１つのデータファイルにまとめる（Ｓ１０７）。一方、上記ステップＳ１０４で二次元コードを生成しない設定を行ったとき、色属性を削除し、データファイルを生成する（Ｓ１０８）。
【００４６】
次に、ＰＣ１Ａは、上記ステップＳ１０７またはＳ１０８で作成したデータファイルを白黒プリンタ２へ送信する（Ｓ１０９）。
【００４７】
白黒プリンタ２では、ＰＣ１Ａから送られてきたデータファイルを通信部２１を介して受信する。図示しない制御部は、二次元コードを生成指示の有無を判定し（Ｓ１１０）、「二次元コードを生成しない」ことが判定されたとき、ラスターイメージ生成部２２は、データファイルに対するラスターイメージを作成する（Ｓ１１５）。色属性抽出部２８は、データファイル内の赤文字部分の有無を抽出し、コード作成部４１が存在するか否かに基づいて二次元コードの生成の有無を判定する。
【００４８】
一方、「二次元コードを生成する」の判定に対しては、ラスターイメージ生成部２２は、図３の文書領域４２についてラスターイメージを作成した後（Ｓ１１０）、色属性抽出部２８は、符号化属性情報記憶部２７が記憶する赤色属性情報に基づいてデータファイル内の赤レイヤから赤文字部分（コード作成部４１）を抽出し、符号化部２４は、コード作成部４１を符号化して二次元コードを生成する（Ｓ１１２）。
【００４９】
次に、合成部２５は、ラスターイメージ生成部２２により作成されたた画像と符号化部２４による二次元コードの画像とを合成する（Ｓ１１３）。この合成に関しては、二次元コードが文書領域４２と重ならないように、予め指定された位置に挿入される。画像出力部２６Ａは、合成部２５の合成によって得られた合成画像を用紙に印刷する（Ｓ１１４）。
【００５０】
図５は、その二次元コードが印刷されたプリント紙面を示す。このプリント紙面６０には、文書ＩＤ番号６１、文書６２、および二次元コード６３が印刷されている。
【００５１】
（第１の実施の形態の効果）
この第１の実施の形態によれば、ユーザは、白黒プリンタ用の印刷データのうち符号化したい情報を赤色に編集するだけで、符号化対象を簡易に指定することができる。
【００５２】
また、電子原稿作成ソフトやフォームに依存することなく符号化したい情報を抽出することが可能になったため、従来のように、符号化したい情報が記録される領域を予めフォーム毎に決める必要がない。
【００５３】
例えば、ワープロソフトや帳票ソフトを二次元コードのエンコード対応ソフトに変更したりする必要がなく、二次元コード化したい文字を、例えば、赤字に変えてプリンタ出力させるだけでよいため、操作性や汎用性を向上させることができる。しかも、広く普及し、多くのユーザが持つ白黒出力装置により印刷を行うことができる。
【００５４】
また、上記実施の形態において、プリンタドライバのチェックボックス等で機能有効化の指示がされた場合に限り、上記した機能を有効化できるようにしておくことで、エンコードしたくないユーザは通常のプリンタとして使用することが可能となる。
【００５５】
また、通常、ＰＣ１Ａのモニタ上で文字の色を変更すると、輝度が変わり、その輝度から生成した白黒濃度は元々の情報からかけ離れたものになるが、編集した後の画像内容に元々の明度（濃度）情報を保持するように処理しているので、印刷された符号化対象が見難くなるのを防ぐことができる。
【００５６】
［第２の実施の形態］
図７は、本発明の第２の実施の形態に係る画像処理システムを示す。この画像処理システム１００は、第１の実施の形態において、ＰＣ１Ａを汎用のＰＣ１Ｂに代え、白黒プリンタ２を印刷装置としてのカラープリンタ４に代えたものであり、その他の構成は第１の実施の形態と同様である。
【００５７】
カラープリンタ４は、ＰＣ１Ｂと通信を行う通信部２１と、ＰＣ１Ｂからのカラー印刷データに対してラスターイメージを生成するラスターイメージ生成部２２と、符号化属性情報を記憶する符号化属性情報記憶部２７と、符号化対象情報に基づいてＰＣ１Ｂからのカラー印刷データから符号化対象の情報を抽出する符号化対象情報抽出部２３と、符号化対象情報抽出部２３が抽出した情報に対して符号化を行う符号化部２４と、ラスターイメージ生成部２２の出力と符号化部２４の出力とを合成する合成部２５と、合成部２５で得られた合成データを用紙にカラーで印刷する画像出力部２６Ｂとを備える。
【００５８】
画像出力部２６Ｂは、電子写真方式、インクジェット方式、感熱転写方式等の各種の印刷方式を用いることができる。なお、画像出力部２６Ｂは、液晶ディスプレイ、ＣＲＴディスプレイ、プラズマディスプレイ等のディスプレイであってもよい。
【００５９】
符号化対象情報抽出部２３は、文書ＩＤ番号等の符号化対象の符号化属性情報を判定する属性判定部２３ａと、属性判定部２３ａによる判定の結果、符号化対象と判断した文字等の情報を取り出す情報抽出部２３ｂとからなる。
【００６０】
（第２の実施の形態の動作）
次に、第２の実施の形態に係る画像処理システム１００の動作を説明する。まず、ユーザは、ＰＣ１Ｂの文書作成アプリケーションソフトウェアを用いて図３で示したような電子原稿４０を作成する。この電子原稿４０に対し、ユーザは、コード作成部４１に相当するＩＤ番号（「ＡＢ１２５６」）を赤色に編集する。
【００６１】
次に、ユーザは、ＰＣ１Ｂを操作し、上記のように編集した電子原稿４０を印刷するための指示を行うと、ＰＣ１Ｂのプリンタドライバは、図４で示したような二次元コードを生成するか否かの設定画面５０をＰＣ１Ｂのディスプレイに表示する。
【００６２】
ここで、ユーザは、チェック欄５２にチェックを入れるとともに必要な設定を行って、二次元コードを生成するための指示をする。この指示を受けて、ＰＣ１Ｂは、予め定められた特定の色、例えば、赤色の文字情報を二次元コードにする指令をカラー印刷データとともにカラープリンタ４に送信する。
【００６３】
カラープリンタ４では、ＰＣ１Ｂから送られてきたカラー印刷データを通信部２１を介して受信する。ラスターイメージ生成部２２は、図３の文書領域４２をラスターイメージに変換した後、符号化対象情報抽出部２３の属性判定部２３ａは、符号化属性情報の有無を判定し、情報抽出部２３ｂは、データファイル内の赤文字部分（コード作成部４１）を符号化対象として抽出する。
【００６４】
次に、合成部２５は、ラスターイメージ生成部２２によって作成された画像と符号化部２４による二次元コードの画像とを合成する。この合成に関しては、二次元コードが文書領域４２と重ならないように、予め指定された位置に挿入される。画像出力部２６Ｂは、合成部２５による合成画像を用紙にカラー印刷する。
【００６５】
（第２の実施の形態の効果）
この第２の実施の形態によれば、電子原稿作成ソフトやフォームに依存することなく符号化したい情報を抽出することが可能になったため、従来のように、符号化したい情報が記録される領域を予めフォーム毎に決める必要がない。また、ＰＣ１Ｂのプリンタドライバは、カラープリンタに対応した汎用のものを用いることができる。
【００６６】
［他の実施の形態］
なお、本発明は、上記各実施の形態に限定されず、本発明の技術思想を逸脱あるいは変更しない範囲内で種々な変形が可能である。例えば、符号化したい情報を赤にしたが、逆に、符号化したい情報を黒のままとし、文書領域等の他の情報部分を例えば赤にするなどにしてもよい。
【図面の簡単な説明】
【００６７】
【図１】本発明の第１の実施の形態に係る画像処理システムを示すブロック図である。
【図２】印刷データの構成を示す図である。
【図３】文書作成アプリケーションソフトウェアを用いてＰＣにより作成された電子原稿を示すイメージ図である。
【図４】二次元コードを生成するための設定画面を示す画面図である。
【図５】図４の設定画面おいてチェック欄にチェックを入れたときにカラープリンタにより印刷されたプリント紙面図である。
【図６】画像処理システムの処理を示すフローチャートである。
【図７】本発明の第２の実施の形態に係る画像処理システムを示すブロック図である。
【符号の説明】
【００６８】
１Ａ，１Ｂ  ＰＣ（パーソナルコンピュータ）
２  白黒プリンタ
４  カラープリンタ
３  ＬＡＮ
２１  通信部
２２  ラスターイメージ生成部
２３  符号化対象情報抽出部
２３ａ  属性判定部
２３ｂ  情報抽出部
２４  符号化部
２５  合成部
２６Ａ，２６Ｂ  画像出力部
２７  符号化属性情報記憶部
２８  色属性抽出部
３０  印刷データ
３１  テキストデータ
３２  線画データ
３３  写真データ
３４  赤文字テキスト
４０  電子原稿
４１  コード作成部
４２  文書領域
５０  設定画面
５１  プリンタ設定欄
５２  チェック欄
５３  部数設定欄
６０  プリント紙面
６１  文書ＩＤ番号
６２  文書
６３  二次元コード
１００  画像処理システム
【図１】
2006256016.tif 000003
【図２】
2006256016.tif 000004
【図３】
2006256016.tif 000005
【図４】
2006256016.tif 000006
【図５】
2006256016.tif 000007
【図６】
2006256016.tif 000008
【図７】
2006256016.tif 000009